(57)【要約】【課題】光学的ローパスフィルターのような方向性を有するフィルターの設置方向の微調整を容易に行なうことができるカメラを実現するためのレンズアセンブリーを提供すること。【解決手段】カメラ用レンズアセンブリーは、レンズと、該レンズを保持するレンズホルダーと、該レンズホルダーに、少なくとも部分的に回動自在に装着され、前記レンズとデジタルカメラの撮像素子の間に配置される、方向性を有するフィルターとを具備する。【選択図】図２
2007192923.tif 000002
【特許請求の範囲】
【請求項１】
レンズと、該レンズを保持するレンズホルダーと、該レンズホルダーに、少なくとも部分的に回動自在に装着され、前記レンズとＣＣＤ又は感光フィルムとの間に配置される、方向性を有するフィルターとを具備する、カメラ用レンズアセンブリー。
【請求項２】
前記方向性を有するフィルターが光学的ローパスフィルター、偏光フィルター及び逆光補正フィルターから成る群より選ばれる少なくとも１種である請求項１記載のレンズアセンブリー。
【請求項３】
前記方向性を有するフィルターが光学的ローパスフィルターであり、前記カメラがデジタルカメラである請求項２記載のレンズアセンブリー。
【請求項４】
前記方向性を有するフィルターが、前記レンズホルダーに着脱可能に装着される請求項１ないし３のいずれか１項に記載のレンズアセンブリー。
【請求項５】
前記方向性を有するフィルターが、略円筒状のフィルターホルダー内に保持され、該フィルターホルダーが、前記レンズホルダーに設けられた略円筒状のフィルター装着部に少なくとも部分的に回動自在に嵌着又は螺着される請求項４記載のレンズアセンブリー。
【請求項６】
前記フィルターホルダーの側面には少なくとも１つの貫通孔が設けられ、前記フィルター装着部は該フィルターホルダーに外接する略円筒状であり、該フィルター装着部の側面には前記フィルターホルダーに設けられた前記貫通孔と連通する貫通溝が設けられている請求項５記載のレンズアセンブリー。
【請求項７】
方向性を有さない１又は２以上のフィルターをさらに具備する請求項１ないし６のいずれか１項に記載のレンズアセンブリー。
【請求項８】
前記方向性を有さないフィルターが光吸収フィルター又は反射フィルターである請求項７記載のレンズアセンブリー。
【請求項９】
前記反射フィルターが赤外線カットフィルターである請求項８記載のレンズアセンブリー。
【発明の詳細な説明】
【技術分野】
【０００１】
本発明は、方向性を有するフィルターを具備するレンズアセンブリーに関する。
【背景技術】
【０００２】
光学的ローパスフィルター(OLPF)は、デジタルカメラにより撮像される像のモアレを除去するために用いられるものであり、デジタルカメラにはなくてはならないものである。従来のデジタルカメラでは、OLPF又はOLPFを保持するフレームを、デジタルカメラのCCDを保持するCCDホルダーに接着剤又はテープにより固着していた。すなわち、従来のデジタルカメラでは、OLPFはCCD側に固着されていた。
【発明の開示】
【発明が解決しようとする課題】
【０００３】
OLPFは方向性を有しているため、適切な方向に位置合わせした後に撮像素子ホルダー（以下CCDホルダーと呼ぶ）に固着されている。しかしながら、OLPFの位置合わせは微妙な調節を必要とするため、OLPFを最適な方向に合わせてCCDホルダーに固着することは必ずしも容易ではない。デジタルカメラを組立てた後にOLPFの方向が最適でないことがわかる場合もあるが、デジタルカメラを組立てた後では既にOLPFが固着されているので、再度最適な方向に合わせることは困難である。また、カメラを組立てた後に、OLPFのCCD側の面に埃が付着していることがわかった場合でも、その埃を除去することは困難である。
【０００４】
従って、本発明の目的は、OLPFのような方向性を有するフィルターの設置方向の微調整を容易に行なうことができるカメラを実現するためのレンズアセンブリーを提供することである。さらに、本発明の目的は、カメラを組立てた後に前記フィルターに埃が付着していることがわかった場合でも容易に埃を除去することができるカメラを実現するためのレンズアセンブリーを提供することである。
【課題を解決するための手段】
【０００５】
本願発明者らは、鋭意研究の結果、OLPFを、従来のようにデジタルカメラの撮像素子側に固着するのではなく、レンズ側に回動自在に装着することにより、容易にその設置方向を微調整できることに想到し本発明を完成した。また、OLPFをレンズ側に着脱自在に装着することにより、カメラを組立てた後に前記フィルターに埃が付着していることがわかった場合でも容易に埃を除去することができることに想到した。
【０００６】
すなわち、本発明は、レンズと、該レンズを保持するレンズホルダーと、該レンズホルダーに、少なくとも部分的に回動自在に装着され、前記レンズとデジタルカメラの撮像素子の間に配置される、方向性を有するフィルターとを具備する、カメラ用レンズアセンブリーを提供する。また、本発明は、上記本発明のレンズアセンブリーにおいて、前記フィルターを着脱自在に装着したレンズアセンブリーを提供する。
【発明の効果】
【０００７】
本発明のレンズアセンブリーを具備するカメラでは、OLPFのような方向性を有するフィルターが、レンズホルダーに少なくとも部分的に回動自在に装着されているので、フィルターの方向合わせを容易に行なうことができる。特に、カメラをモニターに接続し、モニターを見ながらフィルターの方向合わせを行なうことが可能になる。また、該フィルターを着脱自在にレンズホルダーに装着した場合には、カメラを組立てた後に前記フィルターに埃が付着していることがわかった場合でも容易に埃を除去することができる。
【発明を実施するための最良の形態】
【０００８】
上記の通り、本発明のレンズアセンブリーは、方向性を有するフィルターを具備することを特徴とする。ここで、「方向性を有するフィルター」とは、該フィルターを通過する光の光路にフィルターを配置して光を通過させた状態で、フィルターを該フィルターの面内で回転させることにより、フィルターを通過する光の何らかの光学的特性が変化するフィルターを意味する。方向性を有するフィルターの例として、OLPF、偏光フィルター及び逆光補正フィルターを挙げることができるがこれらに限定されるものではない。これらのうち、光学的ローパスフィルターが好ましい。なお、当然ながら、カメラ内では、方向性を有するフィルターは、レンズとＣＣＤ又は感光フィルムとの間に配置される。
【０００９】
レンズアセンブリーは、通常のカメラに採用されている従来のレンズアセンブリーと同様、レンズホルダーを具備し、該レンズホルダーに１枚又は複数枚のレンズが保持される。なお、本発明において、「レンズアセンブリー」は、少なくとも１枚のレンズと、それを保持するレンズホルダーを具備するものを意味する。上記方向性を有するフィルターは、該レンズホルダーに少なくとも部分的に回動自在に装着される。ここで、「回動自在」とは、人力を加えることによりどちらの方向にも回転させることができるという意味であり、「少なくとも部分的に回動自在」とは、３６０度（１回転）回動自在か又は３６０度未満の角度だけ回動自在であることを意味する。フィルターの方向性は、通常、設置する前からわかっているので、フィルターを回動させる最大角度は、通常、３０度〜９０度程度あれば十分である。
【００１０】
方向性を有するフィルターは、レンズホルダーに着脱自在に装着されることが好ましい。そうすることにより、カメラを組立てた後にフィルターに埃等が付着していることがわかった場合でも、容易にその埃等を除去することができる。方向性を有するフィルターを、少なくとも部分的に回動自在、かつ、着脱自在にレンズホルダーに装着することは、例えば、図２に基づいて後述するように、方向性を有するフィルターを、略円筒状フィルターホルダー内に保持し、一方、レンズホルダーに略円筒状のフィルター装着部を設け、前記フィルターホルダーを、該フィルター装着部に少なくとも部分的に回動自在に嵌着又は螺着することにより容易に達成することができる。なお、嵌着又は螺着する場合、カメラを組立てた後に振動等によりフィルターが勝手に回動することを防止するために、指である程度力を入れなければフィルターホルダーが回動しないように緊密に嵌着又は螺着することが好ましい。あるいは、フィルターを最適方向に設定した後、フィルターホルダーが回動しないように、フィルターホルダーをフィルター装着部に固定ネジ等により固定してもよい。
【００１１】
好ましい１具体例では、フィルターホルダーの側面に少なくとも１つの貫通孔を設け、前記フィルター装着部を、該フィルターホルダーに外接する略円筒状とし、該フィルター装着部の側面には前記フィルターホルダーに設けられた前記貫通孔と連通する貫通溝を設け、前記貫通孔と該貫通溝とに同時に調節ピンを挿入し、この調節ピンを指で光軸を中心として回動させることにより、前記フィルターホルダーひいては前記方向性を有するフィルターを回動させることができる。この態様において、図３及び図４に基づいて後述するように、PCB（印刷回路基板）ホルダー（CCD を搭載したPCBを収容する）がフィルター装着部に嵌着される場合には、PCBホルダーの円筒状部材の側面は、前記フィルターホルダーに設けられた前記貫通孔及び前記フィルター装着部に設けられた前記貫通溝と連通する貫通溝を形成し、前記円筒状部材は、前記フィルター装着部に固定してもよい。この場合には、前記調節ピンは、フィルターホルダー側面に設けられた貫通孔、レンズホルダーのフィルター装着部に設けられた貫通溝、及びPCBホルダーの円筒状部材に設けられた貫通溝を貫通するように挿入される。
【００１２】
上記フィルターホルダー内には、方向性を有さない他のフィルターをさらに保持してもよい。このような方向性を有さない他のフィルターとしては、光吸収フィルターや、赤外線カットフィルターのような反射フィルターを例示することができるがこれらに限定されるものではない。これらの方向性を有さない他のフィルターは、１枚でも複数枚でもよく、複数種類のものを組み合わせてもよい。
【００１３】
上記した方向性を有するフィルターを具備すること以外は、本発明のレンズアセンブリーは、従来から周知のレンズアセンブリーと同様の構成を有する。
【００１４】
本発明の好ましい態様では、前記方向性を有するフィルターがOLPFであり、カメラがデジタルカメラである。本発明のレンズアセンブリーを具備するカメラの構成は、レンズアセンブリーとして上記本発明のレンズアセンブリーを用いる点を除き、従来のカメラと全く同様である。すなわち、筐体内に前記レンズアセンブリーとＣＣＤ又は感光フィルムを設置し、レンズの全面にはシャッターを配置した通常の構成のものであってよい。
【００１５】
本発明のレンズアセンブリーを用いてカメラを組立てる際には、方向性を有するフィルターをレンズホルダーに装着し、レンズアセンブリーをカメラ筐体に設置した後、必要に応じてフィルターを光軸の回りに手動により回動させて微調整を行なう。微調整は、当該カメラで写真をとってその状態を観察し、必要があればフィルターを回動させるという作業を繰り返して、フィルターを最適な方向に設置することにより行なうことができる。デジタルカメラの場合には、ＣＣＤをモニターに接続し、モニターを見ながらリアルタイムでフィルターを回動させながら微調整することが効率的で好ましい。フィルターを最適な方向に設置すれば、その方向を維持したままカメラの筐体を閉じる。
【００１６】
以下、図面に基づき、本発明の好ましい具体例をさらに詳細に説明する。
【００１７】
図１は、本発明のレンズアセンブリーの好ましい１具体例の斜視図であり、図２は、図１に示すレンズアセンブリーの分解組立図である。本発明の１具体例になるレンズアセンブリー１０は、レンズ１２を内部に保持するレンズホルダー１４を具備する。レンズ１２は、１枚でも複数枚でもよく、通常、複数枚である。レンズホルダー１４の後側（具体例の記述において、カメラの前面側（シャッターを設ける側）を「前側」、「前」等と記載することがあり、その反対側を「後側」、「後」等と記載することがある)には、略円筒状のフィルター装着部２０が設けられている。一方、方向性を有するフィルター１６は、略円筒状のフィルターホルダー１８内の後端部に保持される。フィルターホルダー１８の側面には、図２に示すようにネジ溝が形成されている。フィルター装着部２０の内面には、前記ネジ溝に対応するネジ溝が形成されている（図示せず）。そして、フィルターホルダー１８がフィルター装着部２０内に挿入、螺着され、それによって、フィルター１６がレンズホルダー１４に装着される。フィルターホルダー１８の後端部の外周には、指でつまみ易いように光軸方向に多数の突起を形成したつまみ部１８’が形成されている。フィルターホルダー１８を、フィルター装着部２０に螺着した後、つまみ部１８’を指でつまんでフィルターホルダー１８を図２に示す矢印方向に回して、フィルター１６の設置方向を調節する。
【００１８】
図３は、本発明のレンズアセンブリーの好ましい他の１具体例の斜視図であり、図４は、図３に示すレンズアセンブリーの分解組立図である。図１及び図２に示す具体例と同一の部材には同一の参照番号を付してある。図４に示すように、フィルターホルダー１８の側面には複数の貫通孔２２が設けられている。一方、フィルター装着部２０の側面には、貫通溝２４が形成されている。貫通溝２４は、フィルターホルダー１８がフィルター装着部２０に螺着された際に、少なくとも１つの貫通孔２２と連通できるだけの周方向の長さを有する。図４には、レンズアセンブリーに加え、PCBホルダー３２も描かれている。PCBホルダー３２は、フィルター装着部２０に外接して嵌着される略円筒状の部材２６と、CCDを搭載したPCB（以下、単に「PCB」)３４を収容するPCB収容部材３６とを具備し、円筒状部材２６とPCB収容部材３６とは固着され又は一体に形成されている。なお、PCBホルダー３２は、通常のデジタルカメラに採用されているものである。フィルター装着部２０を円筒状部材２６内に嵌挿することにより、円筒状部材２６がフィルター装着部２０に装着される。円筒状部材２６の側面にも貫通溝２８が形成されており、円筒状部材２６がフィルター装着部２０に装着された状態で、該貫通溝２８、前記貫通溝２４及び少なくとも１個の前記貫通孔２２が連通する。この状態で、調節ピン３０を貫通溝２８、貫通溝２４及び１個の貫通孔２２に貫通させ、この調節ピン３０を指でつまんで、図４の矢印に示すように回すことにより、フィルターホルダー１８、ひいてはフィルター１６を光軸の回りに回転させ、フィルター１６の方向を調節する。この具体例では、レンズアセンブリー１０とPCBホルダー３２を連結した後でもフィルター１６の方向を調節することができ便利である。
【図面の簡単な説明】
【００１９】
【図１】本発明のレンズアセンブリーの好ましい１具体例の斜視図である。
【図２】図１に示す１具体例の分解組立図である。
【図３】本発明のレンズアセンブリーの好ましい他の１具体例の斜視図である。
【図４】図３に示す１具体例の分解組立図である。
【符号の説明】
【００２０】
１０  レンズアセンブリー
１２  レンズ
１４  レンズホルダー
１６  方向性を有するフィルター
１８  フィルターホルダー
２０  フィルター装着部
２２  貫通孔
２４  貫通溝
２６  円筒状部材
２８  貫通溝
３０  調節ピン
３２  PCBホルダー
３４  CCD搭載PCB
３６  PCB収容部材
【図１】
2007192923.tif 000003
【図２】
2007192923.tif 000004
【図３】
2007192923.tif 000005
【図４】
2007192923.tif 000006